(57)【要約】【課題】画像読取装置にてユーザを満足させる画像データの読み取りを行う。【解決手段】原稿の画像を画像データとして読み取る読取部１１ｂと、読取部１１ｂで読み取られた画像データにおけるノイズを検出すると共に上記ノイズが検出された上記画像データを出力するノイズ検出部１３と、上記ノイズが検出された上記画像データに基づく画像及び該画像に対する処理を選択する選択キーを表示すると共に、選択された選択キーに対応する上記処理を示す信号を出力する操作表示部９と、上記信号に基づく上記処理を行う処理部１３とを備える。【選択図】図３
2010028723.tif 000002
【特許請求の範囲】
【請求項１】
原稿の画像を画像データとして読み取る読取部と、
読取部で読み取られた画像データにおけるノイズを検出すると共に前記ノイズが検出された前記画像データを出力するノイズ検出部と、
前記ノイズが検出された前記画像データに基づく画像及び該画像に対する処理を選択する選択キーを表示すると共に、選択された選択キーに対応する前記処理を示す信号を出力する操作表示部と、
前記信号に基づく前記処理を行う処理部と
を備えることを特徴とする画像読取装置。
【請求項２】
前記画像に対する処理が、前記画像データの加工を行わない非加工処理と、前記ノイズの消去を行うノイズ消去処理と、再度原稿の画像を読み取る再読取処理とを含み、
前記操作表示部が、前記選択キーとして、前記非加工処理を示すキーと、前記ノイズ消去処理を示すキーと、前記再読取処理を示すキーとを表示する
ことを特徴とする請求項１記載の画像読取装置。
【請求項３】
前記再読取処理が選択された場合に、新たに前記読取部にて読み取られた画像データを、前記ノイズが検出された前記画像データと置き換える置換部を備えることを特徴とする請求項１または２記載の画像読取装置。
【請求項４】
原稿の画像を画像データとして読み取ると共に読み取った画像データに対する処理が可能な画像読取装置が備える操作表示部であって、
ノイズを含む画像データが入力され、該入力された画像データに基づく画像及び該画像に対する処理を選択する選択キーを表示すると共に、選択された選択キーに対応する前記処理を示す信号を出力することを特徴とする操作表示部。
【請求項５】
前記画像に対する処理が、前記画像データの加工を行わない非加工処理と、前記ノイズの消去を行うノイズ消去処理と、再度原稿の画像を読み取る再読取処理とを含み、前記選択キーとして、前記非加工処理を示すキーと、前記ノイズ消去処理を示すキーと、前記再読取処理を示すキーとを表示することを特徴とする請求項４記載の操作表示部。
【発明の詳細な説明】
【技術分野】
【０００１】
本発明は、画像読取装置及び操作表示部に関するものである。
【背景技術】
【０００２】
複合機等の画像形成装置は、原稿に形成された画像を画像データとして読み取るための画像読取装置を備えている。
画像読取装置としては、周知のように、原稿束から原稿を一枚ずつ搬送しながら各原稿の画像をセンサによって読み取る自動原稿搬送型読取装置やユーザによってコンタクトガラスに載置された原稿の画像をセンサによって読み取るフラットベッド型読取装置が用いられている。
画像形成装置は、自動原稿搬送型読取装置及びフラットベッド型読取装置のいずれか、あるいは両方を備えており、これらの画像読取装置にて読み取った画像データに基づいて記録用紙への印刷等の画像形成を行う。
【０００３】
なお、上述のような画像読取装置は、画像形成装置にのみ用いられるものではなく、ファクシミリ装置に搭載されて用いられる場合や、単体でスキャナ装置として用いられる場合もある。
【特許文献１】特開２００５−３０３８３５号公報
【発明の開示】
【発明が解決しようとする課題】
【０００４】
しかしながら、上述のような画像読取装置は、紙粉等の異物が存在する空間にて用いられるものである。このため、原稿とセンサとの間に異物が付着する場合がある。
そして、画像読取装置では、例えば原稿とセンサとの間に存在する異物に起因して、原稿の画像に存在しない点や線等が入り込む場合がある。すなわち原稿の画像を読み取ることによって取得した画像データにノイズが含まれる場合がある。
【０００５】
このようなノイズへの対策としては、例えば、原稿の画像を読み取る前に上述の異物を検出して異物の除去をユーザに促す方法が考えられるが、このような場合には、画像の読み取り途中にて異物が付着した場合には、画像データにノイズが入ることを防止することはできない。特に自動原稿搬送型読取装置にて大量の原稿を一度に読み取る場合には、読み取り途中にて異物が付着する可能性が高くなり、そして途中にて異物が付着された場合には、異物に起因するノイズがそのまま画像データに含まれることになる。
また、画像処理によって上記ノイズを消去することも考えられるが、このような場合には、ノイズの消去のために画像データが劣化することが考えられ、特に高精細な画像を読み取る場合には好ましくないこともある。
さらに、原稿に元々含まれる画像を筋等として認識してしまう虞もあり、一様に画像処理によってノイズを消去することは難しい。
【０００６】
また、原稿の種類によってあるいはユーザによってノイズとなる筋等に対する許容度が異なる場合もある。
例えば、原稿が写真等の高精細な画像が形成されたものである場合には、筋等に対する許容度は極めて低くなることが想定される。一方で、原稿が文字のみからなる画像でかつ画像データに基づく画像にて文字さえ認識できれば十分である場合には、筋等に対する許容度が比較的に高くなることが想定される。
【０００７】
このようなことを考慮すると、画像読取装置にて予め設定された条件を全ての原稿の画像の読み取りに対して適用した場合には、ユーザが満足する画像データの読み取りを実現することが難しい。
【０００８】
本発明は、上述する問題点に鑑みてなされたもので、画像読取装置にてユーザを満足させる画像データの読み取りを行うことを目的とする。
【課題を解決するための手段】
【０００９】
本発明は、上記課題を解決するための手段として以下の構成を採用する。
【００１０】
第１の発明は、原稿の画像を画像データとして読み取る読取部と、読取部で読み取られた画像データにおけるノイズを検出すると共に上記ノイズが検出された上記画像データを出力するノイズ検出部と、上記ノイズが検出された上記画像データに基づく画像及び該画像に対する処理を選択する選択キーを表示すると共に、選択された選択キーに対応する上記処理を示す信号を出力する操作表示部と、上記信号に基づく上記処理を行う処理部とを備えるという構成を採用する。
【００１１】
第２の発明は、上記第１の発明において、上記画像に対する処理が、上記画像データの加工を行わない非加工処理と、上記ノイズの消去を行うノイズ消去処理と、再度原稿の画像を読み取る再読取処理とを含み、上記操作表示部が、上記選択キーとして、上記非加工処理を示すキーと、上記ノイズ消去処理を示すキーと、上記再読取処理を示すキーとを表示するという構成を採用する。
【００１２】
第３の発明は、上記第１または第２の発明において、上記再読取処理が選択された場合に、新たに上記読取部にて読み取られた画像データを、上記ノイズが検出された上記画像データと置き換える置換部を備えるという構成を採用する。
【００１３】
第４の発明は、原稿の画像を画像データとして読み取ると共に読み取った画像データに対する処理が可能な画像読取装置が備える操作表示部であって、ノイズを含む画像データが入力され、該入力された画像データに基づく画像及び該画像に対する処理を選択する選択キーを表示すると共に、選択された選択キーに対応する上記処理を示す信号を出力するという構成を採用する。
【００１４】
第５の発明は、上記第４の発明において、上記画像に対する処理が、上記画像データの加工を行わない非加工処理と、上記ノイズの消去を行うノイズ消去処理と、再度原稿の画像を読み取る再読取処理とを含み、上記選択キーとして、上記非加工処理を示すキーと、上記ノイズ消去処理を示すキーと、上記再読取処理を示すキーとを表示するという構成を採用する。
【発明の効果】
【００１５】
本発明によれば、ノイズを含む画像データに基づく画像及び該画像に対する処理を選択する選択キーが表示され、選択された選択キーに対応する処理を行うことが可能となる。
つまり、ユーザがノイズを含む画像データに基づく画像を視認して、その後の処理を選択することができる。
したがって、本発明によれば、画像読取装置にてユーザを満足させる画像データの読み取りを行うことが可能となる。
【発明を実施するための最良の形態】
【００１６】
以下、図面を参照して、本発明に係る画像読取装置及び操作表示装置の一実施形態について説明する。なお、以下の説明においては、画像読取装置及び操作表示装置を備える画像形成装置として複合機を挙げて説明する。
【００１７】
図１は、本実施形態における複合機Ａの機能構成を示すブロック図である。この図に示すように、本実施形態の複合機Ａは、ＣＰＵ(Central Processing Unit)１、ＲＯＭ(Read Only Memory)２、ＲＡＭ(Random Access Memory)３、各種センサ群４、印刷用紙搬送部５、画像データ記憶部６、画像形成部７、通信Ｉ／Ｆ部８、操作表示部９及び画像読取装置１０を備えている。
【００１８】
ＣＰＵ１は、ＲＯＭ２に記憶されている制御プログラムや、各種センサ群４から入力される検出信号、画像データ記憶部６に記憶されている画像データ、通信Ｉ／Ｆ部８を介してパーソナルコンピュータ等の外部機器から受信する印刷指示信号及び印刷用画像データ、操作表示部９から入力される操作信号等に基づいて複合機Ａの全体動作を制御するものである。
【００１９】
ＲＯＭ２は、ＣＰＵ１によって実行される制御プログラムやその他のデータを記憶する不揮発性メモリである。
ＲＡＭ３は、ＣＰＵ１が制御プログラムを実行して各種動作を行う際に、データの一時保存先に用いられるワーキングメモリである。
各種センサ群４は、例えば用紙切れ検出センサや、用紙位置検出センサ、温度センサ等の画像形成動作に必要な各種センサであり、それぞれで検出した各種の情報を検出信号としてＣＰＵ１に出力する。
【００２０】
印刷用紙搬送部５は、図示しない印刷用紙トレイに収納されている印刷用紙を画像形成部７に搬送するための搬送ローラ及び印刷用紙搬送ローラ駆動用のモータや、画像形成処理後の印刷用紙を図示しない印刷用紙排紙トレイに搬送するための搬送ローラ及び搬送ローラ駆動用のモータなどから構成されている。
画像データ記憶部６は、例えばフラッシュメモリであり、ＣＰＵ１の要求に応じて原稿の画像データを記憶する一方、所定の原稿の画像データをＣＰＵ１に出力する。
【００２１】
画像形成部７は、ＣＰＵ１の制御の下、画像データ記憶部６に記憶されている原稿の画像データやパーソナルコンピュータ等の外部機器から受信した印刷用画像データに基づいて、印刷用紙搬送部５から搬送される印刷用紙にトナーを転写し、当該トナーの定着処理を行うことによって印刷用紙に画像を形成するものである。
通信Ｉ／Ｆ部８は、複合機Ａとパーソナルコンピュータ等の外部機器との間で通信を行うためのインタフェースであり、ＬＡＮ(Local Area Network)等のネットワークによって外部機器と接続されている。
【００２２】
操作表示部９は、スタートキー、ストップキー、電源キー、テンキー（数値入力キー）、タッチパネル、クリアキーやその他の各種操作キー、を備えており、それぞれのキーの操作指示をＣＰＵ１に出力すると共に、ＣＰＵ１の制御の下、タッチパネルに種々の画面を表示する。
【００２３】
なお、図２に示すように、操作表示部９は、画像読取装置１０の一部としても機能する。
後に詳説するが、具体的には、操作表示部９は、画像読取装置１０の一部として機能する場合には、後述するノイズが検出された画像データに基づく画像及び該画像に対する処理を選択する選択キーを表示すると共に、選択された選択キーに対応する処理を示す信号を出力する。
【００２４】
次に、画像読取装置１０について図２を参照して詳細に説明する。図２は、本実施形態に係る複合機Ａの画像読取装置１０の構成を示す概略構成図である。
図２に示すように、画像読取装置１０は、自動原稿搬送型読取装置１１、フラットベッド型読取装置１２及び画像読取回路１３（ノイズ検出部、処理部）を備えている。
【００２５】
自動原稿搬送型読取装置１１は、原稿トレイ１１ａに載置された原稿束から一枚ずつ原稿を自動搬送しながら原稿の画像を画像データとして読み取る読取装置であり、原稿トレイ１１ａ、ＣＩＳ（Contact Image Sensor）１１ｂ、原稿排出トレイ１１ｄ及びランプ１１ｅを備えている。
なお、本実施形態においてＣＩＳ１１ｂは、原稿の画像を画像データとして読み取る読取部として機能する。
【００２６】
原稿トレイ１１ａは、読取対象の原稿を載置する台である。また、自動原稿搬送型読取装置１１は、原稿トレイ１１ａに載置された原稿束から一枚ずつ原稿を搬送する複数の搬送ローラ（図示略）を備えており、原稿を搬送ローラによって点線で示す原稿搬送経路に沿って搬送して原稿排出トレイ１１ｄに排出する。
【００２７】
ＣＩＳ１１ｂは、原稿の画像を読み取るために上記原稿搬送経路の途中に設けられた密着型イメージセンサ（ラインセンサ）である。このＣＩＳ１１ｂは、原稿から読み取った画像の画像データ（アナログ信号）を画像読取回路１３に出力する。
【００２８】
ランプ１１ｅは、原稿に一定強度の照明光（白色光）を照射するものである。そして、ＣＩＳ１１ｂによって、ランプ１１ｅの照明光の反射光が画像信号として読み取られる。
【００２９】
フラットベッド型読取装置１２は、上面に原稿載置台としてのコンタクトガラス（図示略）が嵌め込まれ、原稿搬送経路に沿ってコンタクトガラス上に載置された原稿の画像を読み取るものであり、ランプ１２ａ、ミラー１２ｂ、集光レンズ１２ｃ及びＣＣＤ（Charge Coupled Devices）１２ｄ備えている。
【００３０】
ランプ１２ａは、コンタクトガラス上の原稿の表面に一定強度の照明光（白色光）を走査状に照射するものであり、ミラー１２ｂは、原稿の表面の反射光を集光レンズ１２ｃに向けて反射するものである。
【００３１】
集光レンズ１２ｃは、ミラー１２ｂによって反射された原稿の表面の反射光をＣＣＤ１２ｄの受光面に集光させるものである。
【００３２】
ＣＣＤ１２ｄは、集光レンズ１２ｃによって集光された原稿の表面の反射光を画像データ（アナログ信号）に変換し、画像読取回路１３に出力する。
【００３３】
画像読取回路１３について図３を参照して詳細に説明する。図３は、画像読取回路１３の機能構成を示す機能ブロック図である。なお、図３における太矢印は画像データの入出力を示し、細矢印は制御信号の入出力を示す。
【００３４】
画像読取回路１３は、自動原稿搬送型読取装置１１及びフラットベッド型読取装置１２を制御すると共に入力された画像データをデジタル信号に変換すると共に画像データに対して所定の処理を行うものであり、本実施形態においては、ＣＩＳ１１ｂあるいはＣＣＤ１２ｄにて読み取られた画像データにおけるノイズを検出すると共にノイズが検出された画像データを出力し、さらに操作表示部９からの信号に基づいてノイズが検出された画像データに対する処理を行う。
【００３５】
この画像読取回路１３は、Ａ／Ｄ変換部１３ａ、画像処理回路１３ｃ、画像メモリ回路１３ｄ、画像読取用ＲＡＭ１３ｅ、画像読取用ＲＯＭ１３ｆ及び画像読取用ＣＰＵ１３ｇを備えている。
【００３６】
Ａ／Ｄ変換部１３ａは、画像読取用ＣＰＵ１３ｇの制御の下、自動原稿搬送型読取装置１１あるいはフラットベッド型読取装置１２が原稿から読み取った画像の画像データ（アナログ信号）をデジタル信号に変換し、この画像データを画像処理回路１３ｃに出力する。
【００３７】
画像処理回路１３ｃは、画像読取用ＣＰＵ１３ｇの制御の下、画像データに含まれるノイズを検出し、ノイズが検出された画像データを操作表示部９に出力する。
また、画像処理回路１３ｃは、画像読取用ＣＰＵ１３ｇの制御の下、操作表示部９から出力される信号に基づく処理を画像データに対して行う。
【００３８】
画像メモリ回路１３ｄは、画像読取用ＣＰＵ１３ｇの制御の下、画像処理回路１３ｃから入力される画像データの記憶あるいは消去を行う。
【００３９】
画像読取用ＲＡＭ１３ｅは、画像読取用ＣＰＵ１３ｇが制御プログラムを実行して各種動作を行う際に、データの一時保存先に用いられるワーキングメモリである。
【００４０】
画像読取用ＲＯＭ１３ｆは、画像読取用ＣＰＵ１３ｇによって実行される制御プログラムやその他のデータを記憶する不揮発性メモリである。
そして、本実施形態において画像読取用ＲＯＭ１３ｆは、画像処理回路１３ｃにて画像データの加工を行わない非加工処理を実行するためのプログラムと、画像処理回路１３ｃにて画像データに含まれるノイズの消去を行うノイズ消去処理を実行するためのプログラムと、再度原稿の画像を読み取る再読取処理を実行するためのプログラムとを記憶している。
【００４１】
画像読取用ＣＰＵ１３ｇは、画像読取用ＲＯＭ１３ｆに記憶されている制御プログラムに基づいて画像読取装置１０の全体動作を制御する。
なお、上記画像処理回路１３ｃの機能を画像読取用ＣＰＵ１３ｇに担わせることも可能である。
【００４２】
次に、このように構成された本実施形態の複合機Ａの動作について図４のフローチャートを参照して説明する。なお、本実施形態の複合機Ａの動作の説明においては、本実施形態の複合機Ａの特徴部分である画像読取装置１０の動作を主に説明する。
【００４３】
原稿トレイ１１ａに原稿束が載置されると、画像読取用ＣＰＵ１３ｇの制御の下、自動原稿搬送型読取装置１１の搬送ローラによって原稿が１枚ずつ、原稿搬送経路を搬送されて排紙トレイ１１ｄに排紙される。
【００４４】
このように原稿が原稿搬送経路を搬送される過程において、原稿の画像がＣＩＳ１１ｂによって読み取られる（ステップＳ１）。
ＣＩＳ１１ｂによって読み取れられた画像データは、画像読取回路１３に入力され、Ａ／Ｄ変換部１３ａによってデジタル信号に変換される（ステップＳ２）。
【００４５】
Ａ／Ｄ変換部１３ａにてデジタル化された画像データは、画像処理回路１３ｃに入力され、画像読取用ＣＰＵ１３ｇの制御の下、画像処理回路１３ｃにて画像データにノイズが含まれているか否かを判定する（ステップＳ３）。
なお、画像データに含まれるノイズは、例えばＣＩＳ１１ｂに異物が付着した場合等に、当該異物をＣＩＳ１１ｂが読み取ることによって生じるものであり、ＣＩＳ１１ｂに異物が付着した場合には、筋状の画像を示すデータとなる。
【００４６】
ステップＳ３にて、画像データにノイズが含まれていないと判定された場合には、当該画像データは、画像メモリ回路１３ｄに記憶される（ステップＳ４）。
一方、ステップＳ３にて、画像データにノイズが含まれていると判定された場合には、当該画像データ（ノイズが含まれる画像データ）は、画像読取用ＣＰＵ１３ｇの制御の下、画像処理回路１３ｃから操作表示部９に入力される（ステップＳ５）。
【００４７】
操作表示部９は、図５に示すように、上記ステップＳ５にて入力された画像データに基づく画像Ｇを表示すると共に該画像に対する処理を選択するための選択キーＫ１，Ｋ２，Ｋ３を表示する（ステップＳ６）。
つまり、ノイズがステップＳ３にて検出された画像データに基づく画像、及び、該画像に対する処理を選択するための選択キーＫ１，Ｋ２，Ｋ３が操作表示部９のタッチパネル上に表示される。
【００４８】
なお、本実施形態においては、操作表示部９に表示される画像に対する処理としては、画像データの加工を行わない非加工処理と、画像データに含まれるノイズを消去するノイズ消去処理と、再度原稿の画像を読み取る再読取処理とが用意されている。
そして、操作表示部９には、非加工処理を示す選択キーＫ１と、ノイズ消去処理を示す選択キーＫ２と、再読取処理を示す選択キーＫ３とが表示される。  
【００４９】
そして、このように選択キーが、操作表示部９のタッチパネルに表示された後、ユーザによって操作表示部９に表示された選択キーが押下されて選択されると、操作表示部９は、選択された選択キーに対応する上記処理を示す信号を画像読取用ＣＰＵ１３ｇに出力する（ステップＳ７）。なお、この際、画像データは、操作表示部９から画像処理回路１３ｃに戻される。
【００５０】
選択された選択キーに対応する処理を示す信号が画像読取用ＣＰＵ１３ｇに入力されると、画像読取用ＣＰＵ１３ｇは、画像処理回路１３ｃに入力された信号に基づく処理を実行させる（ステップＳ８）。
【００５１】
より詳細には、上記信号が非加工処理を示すものである場合には、画像読取用ＣＰＵ１３ｇは、操作表示部９から画像処理回路１３ｃに戻された画像データをそのままの状態で画像メモリ回路１３ｄに記憶させる。
【００５２】
また、上記信号がノイズ消去処理を示すものである場合には、画像読取用ＣＰＵ１３ｇは、画像処理回路１３ｃに、操作表示部９から画像処理回路１３ｃに戻された画像データに含まれるノイズを消去させて、ノイズが消去された画像データを画像メモリ回路１３ｄに記憶させる。
【００５３】
また、上記信号が再読取処理を示すものである場合には、画像読取用ＣＰＵ１３ｇは、操作表示部９等を介してユーザに対して再度原稿のセットを行うように支持し、ユーザから指示を待って再度ステップＳ１を行う。
そして、新たに読み取られた画像データにノイズが含まれていない場合には、画像読取用ＣＰＵ１３ｇは、先に取得した画像データと、新たに取得した画像データとを置き換える。つまり、本実施形態において画像読取用ＣＰＵ１３ｇは、本発明の置換部として機能する。
また、新たに読み取られた画像データにノイズが含まれている場合には、再度ステップＳ４〜Ｓ８が行われる。
【００５４】
なお、画像に含まれるノイズがＣＩＳ１１ｂに付着した異物である場合には、再度ＣＩＳ１１ｂを用いて画像を読み取った場合に、再度画像にノイズが含まれる可能性が高い。このため、画像読取用ＣＰＵ１３ｇは、例えば、ＣＩＳ１１ｂの清掃を促す表示、あるいはフラットベッド型読取装置１２を用いて画像を読み取ることを推奨する表示を操作表示部９に表示させるようにすることが好ましい。
【００５５】
なお、本実施形態においては、原稿束を構成する全ての原稿の画像を一旦読み取った後に、各画像データについてノイズが含まれているか否かの判定を行うことが好ましい。
これによって、複数の画像データにノイズが含まれている場合であっても、ユーザが操作表示部９を介して一度に複数の画像を確認することができる。
【００５６】
また、原稿束を構成する全ての原稿の画像を一旦読み取った後に、各画像データについてノイズが含まれているか否かの判定を行う場合には、ノイズが含まれると判定された画像データの基となった原稿のみを再度読み取るようにしても良いし、原稿束を構成する全ての原稿を再度原稿トレイ１１ａにセットして一枚ずつ搬送しながら、上記画像が形成された原稿のみ再度読み取るようにしても良い。そして、ノイズが含まれる画像データの基となった原稿のみを再度読み取るか、あるいは、原稿束を構成する全ての原稿を再度原稿トレイ１１ａにセットして一枚ずつ搬送しながら上記画像が形成された原稿のみ再度読み取るかを、ユーザに選択させるように操作表示部９に選択キーを表示するようにしても良い。
【００５７】
ステップＳ８にて処理された画像データは画像メモリ回路１３ｄに記憶される（ステップＳ４）。そして、画像メモリ回路１３ｄに記憶された画像データは、複合機ＡのＣＰＵ１に出力される（ステップＳ９）。この結果、ＣＰＵ１の制御の下、画像形成部７にて画像データに基づく画像が印刷用紙に印刷されたり、通信Ｉ／Ｆ部８を介して画像データが送信されたりする。
【００５８】
以上のような本実施形態の複合機Ａが備える画像読取装置１０によれば、自動原稿搬送型読取装置１１で読み取られた画像データにおけるノイズを検出し、ノイズが検出された画像データに基づく画像及び該画像に対する処理を選択する選択キーが操作表示部９にて表示され、さらに選択された選択キーに対応する処理を示す信号が操作表示部９から出力されて当該処理が実行される。
【００５９】
また、本実施形態の複合機Ａが備える操作表示部９によれば、ノイズを含む画像データが入力され、該入力された画像データに基づく画像及び該画像に対する処理を選択する選択キーが表示されると共に、選択された選択キーに対応する処理が示す信号が出力される。
【００６０】
このような本実施形態の複合機Ａが備える画像読取装置１０及び操作表示部９によれば、ノイズを含む画像データに基づく画像及び該画像に対する処理を選択する選択キーが表示され、選択された選択キーに対応する処理を行うことが可能となる。
つまり、ユーザがノイズを含む画像データに基づく画像を視認して、その後の処理を選択することができる。
【００６１】
具体的には、操作表示部９に表示された画像をユーザが視認し、ユーザにとって筋等のノイズが含まれていても構わない画像である場合には、ユーザによって操作表示部９に表示された非加工処理を示す選択キーＫ１が選択される。この結果、上述した非加工処理が実行され、再度原稿の画像を読み取ることなく、また画像データの加工を行うことなく、最短時間にて画像データの印刷や送信が行われる。
また、操作表示部９に表示された画像をユーザが視認し、ユーザにとって画像が多少劣化しても筋等のノイズを消去したい画像である場合には、ユーザによって操作表示部９に表示されたノイズ消去処理を示す選択キーＫ２が選択される。この結果、上述したノイズ除消去処理が実行され、再度原稿の画像を読み取ることなく、画像データの印刷や送信が行われる。
また、操作表示部９に表示された画像をユーザが視認し、ユーザにとってノイズが含まれることを許容できない画像である場合には、ユーザによって操作表示部９に表示された再読取処理を示す選択キーＫ３が選択される。この結果、上述した再読取処理が実行され、ノイズが含まれなくなるまで原稿の画像の再取得が可能となる。
したがって、本実施形態の複合機Ａが備える画像読取装置１０及び操作表示部９によれば、画像読取装置にてユーザを満足させる画像データの読み取りを行うことが可能となる。
【００６２】
以上、本発明の実施形態について図面を参照して詳説したが、具体的な構成は、上記実施形態に限定されるものではなく、本発明の要旨を逸脱しない範囲において設計変更等が可能である。
【００６３】
例えば、上記実施形態においては、画像読取装置１０及び操作表示部９が複合機Ａに搭載されている構成について説明した。
しかしながら、本発明はこれに限定されるものではなく、複写機等の画像形成装置、ファクシミリ装置あるいはスキャナ装置に用いることも可能である。
【００６４】
また、上記実施形態においては、画像メモリ回路１３ｄに記憶された画像データを画像形成部７における印刷あるいは通信Ｉ／Ｆ部８による送信に用いる構成について説明した。
しかしながら、本発明はこれに限定されるものではなく、画像メモリ回路１３ｄに記憶された画像データを、例えば複合機Ａの画像データ記憶部６に記憶させても良い。
【００６５】
また、上記実施形態においては、最初に原稿の画像を読み取る際（すなわち上述のステップＳ１）にて、自動原稿搬送型読取装置１１を用いて原稿の画像を読み取る構成について説明した。
しかしながら、本発明はこれに限定されるものではなく、最初にフラットベッド型読取装置１２を用いて原稿の画像を読み取っても良い。
【００６６】
また、上記実施形態においては、ノイズが検出された画像に対する処理として、非加工処理、ノイズ消去処理、及び再読取処理を挙げて説明した。
しかしながら、本発明はこれに限定されるものではなく、他の処理をノイズが検出された画像に対する処理として実行可能としても良い。
【図面の簡単な説明】
【００６７】
【図１】本発明の一実施形態である画像読取装置及び操作表示部を備える複合機の機能ブロック図である。
【図２】本発明の一実施形態である画像読取装置の概略構成図である。
【図３】本発明の一実施形態である画像読取装置の機能ブロック図である。
【図４】本発明の一実施形態である画像読取装置の動作を説明するための説明図である。
【図５】本発明の一実施形態である画像読取装置が備える操作表示部における表示の一例を示す模式図である。
【符号の説明】
【００６８】
９……操作表示部、１０……画像読取装置、１３……画像読取回路（ノイズ検出部、処理部）、Ｇ……画像、Ｋ１〜Ｋ３……選択キー
【図１】
2010028723.tif 000003
【図２】
2010028723.tif 000004
【図３】
2010028723.tif 000005
【図４】
2010028723.tif 000006
【図５】
2010028723.tif 000007